(57)【要約】【課題】電子チケットの所持者の正当性を厳格に確認でき、チケット盗難、不正行為等のトラブルを防ぐことができる電子チケット認証確認システムを提供する。【解決手段】電子チケット発行装置２０は、認証データとチケットの予約情報とを暗号化して電子チケット情報を生成する。電子チケット確認装置３０は、暗号化された電子チケットを復号化し、かつ照合用として新たに読み取られた照合用の認証データを用いて電子チケットの正当性確認を行う。暗号化された電子チケットを生成することにより、電子チケットが改ざんされる危険性を防止することができる。また、暗号化された電子チケットを復号化するとともに、照合用の認証データを採取して電子チケット内の認証データと比較することにより、本人確認が確実に行え、チケット盗難、不正行為等のトラブルを防ぐことができる。【選択図】図１
2005122268.tif 000002
【特許請求の範囲】
【請求項１】
予約情報を有する電子チケットを記憶媒体に書き込む電子チケット発行装置と、
前記記憶媒体から読み取った前記予約情報と、あらかじめ記憶された電子チケット予約情報との比較に基づいて読み取った前記電子チケットの正当性確認を行う電子チケット確認装置と
を備えた電子チケット認証確認システムにおいて、
照合用の認証データを読み取る認証データ読取手段をさらに備え、
前記電子チケット発行装置は、前記予約情報とともに認証データを暗号化した電子チケットを生成して前記記憶媒体に書き込み、
前記電子チケット確認装置は、前記記憶媒体から読み取った暗号化された前記電子チケットを復号化して前記認証データと前記予約情報とを取り出し、取り出された前記予約情報とあらかじめ記憶された前記電子チケット予約情報との比較とともに、取り出された前記認証データと前記認証データ読取手段で新たに読み取られた前記照合用の認証データとの比較に基づいて電子チケットの正当性確認を行う
ことを特徴とする電子チケット認証確認システム。
【請求項２】
請求項１に記載の電子チケット認証確認システムにおいて、
前記電子チケット発行装置は、イベント別の暗号鍵を用いてイベント毎に異なる暗号化を行い、
前記電子チケット確認装置は、暗号化された電子チケットの復号化をイベントに応じて行う
ことを特徴とする電子チケット認証確認システム。
【請求項３】
請求項１または２に記載の電子チケット認証確認システムにおいて、
前記認証データ読取手段は、前記認証データとして指紋データを読み取る指紋データ読取手段であることを特徴とする電子チケット認証確認システム。
【請求項４】
請求項３に記載の電子チケット認証確認システムにおいて、
前記記憶媒体は、前記指紋データ読取手段を有するモバイル機器に備えられ、
前記電子チケット確認装置は、前記モバイル機器の前記指紋データ読取手段を使用して前記モバイル機器から照合用指紋データを読み取る
ことを特徴とする電子チケット認証確認システム。
【請求項５】
請求項３に記載の電子チケット認証確認システムにおいて、
前記記憶媒体は、前記指紋データ読取手段及び予約情報設定機能を有するモバイル機器に備えられ、
前記電子チケット発行装置は、前記モバイル機器の前記指紋データ読取手段を使用して前記モバイル機器から指紋データを読み取るとともに、前記モバイル機器の前記予約情報設定機能により設定された予約情報を読み取って、電子チケットとして前記予約情報とともに前記指紋データを暗号化した電子チケットを生成する
ことを特徴とする電子チケット認証確認システム。
【請求項６】
請求項５に記載の電子チケット認証確認システムにおいて、
前記電子チケット確認装置は、前記モバイル機器の前記指紋データ読取手段を使用して前記モバイル機器から照合用指紋データを読み取る
ことを特徴とする電子チケット認証確認システム。
【発明の詳細な説明】
【技術分野】
【０００１】
本発明は、認証データに基づいて電子チケットの正当性確認を行う電子チケット認証確認システムに関するものである。
【背景技術】
【０００２】
チケット発行システムは、各イベント等のチケット情報を電子化データとして保持している。発行システムサーバは、登録端末から予約されたイベントの情報に基づいて電子チケットを発行し、電子チケットの情報を端末にダウンロードする。ダウンロードされた電子チケットの情報は、端末に接続された媒体ライタ（書込装置）を介して、各自が保持する記憶媒体（カード、ＩＣメモリ、フロピーデスク等）に書き込まれる。
【０００３】
また最近では、各自が所有するモバイル機器のネットワーク通信およびメモリ保持機能を使って、指紋データによる本人確認を行った後に、電子チケットの購入を可能とする方法がある（例えば、特許文献１参照）。利用者は、予約時に発行システムサーバのネットワークにモバイル機器を接続し、指紋認証を行った後に該当するイベントのチケット情報を申し込む。この結果、利用者はモバイル機器にダウンロードされる電子化されたチケット情報を取得することで予約登録を済ませることが可能となる。すなわち、モバイル機器の内部メモリが記憶媒体の役目を果たすことになる。
【０００４】
記憶媒体（モバイル機器の内部メモリも含む）に電子チケット情報が書き込まれた時点で、その対価を払うべく契約してある金融機関の個人口座から対価が引き落としされる。予約登録を済ませた利用者は、予約した電子チケットの情報が書き込まれている記憶媒体をイベント会場に持参する。そして、イベント会場の入口等に設置されている記憶媒体の読取部に、持参した記憶媒体を接続（アクセス）する。これにより、記憶媒体の内部に保持された電子チケットの情報を読み出すことができる。
【０００５】
読み出された電子チケットの情報は、イベント会場に設置されている電子チケット確認装置に送られる。電子チケット確認装置は、電子チケットの情報からそのチケットの正当性（例えば、イベント内容、日時、予約条件、本人氏名等）を判断する。正当であることを判断すると、次に電子チケット確認装置は、イベント会場への通行を許可するために所定のゲートを開錠することとなる。
【０００６】
【特許文献１】特開２００１−３５８８２８号公報（第３頁、図１）。
【発明の開示】
【発明が解決しようとする課題】
【０００７】
しかしながら、従来技術には次のような問題点がある。上述のような従来のシステムでは、電子チケットを購入する許可を得るために指紋照合などによる認証確認を行っている。しかし、一度記憶媒体にダウンロードされた電子チケットの情報は、改ざんあるいは盗難される危険性がある。また、電子チケットには本人確認用の認証データが含まれておらず、電子チケットの情報が書き込まれた記憶媒体を、予約者本人以外の者がイベント会場に持参するだけで、予約者本人に成りすまして簡単に入場できてしまうといった問題がある。
【０００８】
本発明は上述のような課題を解決するためになされたもので、電子チケットの所持者の正当性を厳格に確認でき、チケット盗難、不正行為等のトラブルを防ぐことができる電子チケット認証確認システムを提供することを目的とする。
【課題を解決するための手段】
【０００９】
本発明に係る電子チケット認証確認システムは、予約情報を有する電子チケットを記憶媒体に書き込む電子チケット発行装置と、記憶媒体から読み取った予約情報と、あらかじめ記憶された電子チケット予約情報との比較に基づいて読み取った電子チケットの正当性確認を行う電子チケット確認装置とを備えた電子チケット認証確認システムであって、照合用の認証データを読み取る認証データ読取手段をさらに備え、電子チケット発行装置は、予約情報とともに認証データを暗号化した電子チケットを生成して記憶媒体に書き込み、電子チケット確認装置は、記憶媒体から読み取った暗号化された電子チケットを復号化して認証データと予約情報とを取り出し、取り出された予約情報とあらかじめ記憶された電子チケット予約情報との比較とともに、取り出された認証データと認証データ読取手段で新たに読み取られた照合用の認証データとの比較に基づいて電子チケットの正当性確認を行うものである。
【発明の効果】
【００１０】
本発明によれば、予約時には認証データとチケットの予約情報とを暗号化して電子チケット情報を生成し、確認時には暗号化された電子チケットを復号化し、かつ照合用として新たに読み取られた照合用の認証データを用いて電子チケットの正当性確認を行う。これにより、チケット盗難、不正行為等のトラブルを防止した電子チケット認証確認システムを提供できる。
【発明を実施するための最良の形態】
【００１１】
実施の形態１．
以下、本発明の実施の形態を図面に基づいて説明する。本実施の形態では、認証データとして指紋データを採用し、モバイル機器として携帯電話を用いた場合について説明する。図１は、本発明の実施の形態１に係る電子チケット認証確認システムの構成図である。電子チケット認証確認システムは、電子チケット発行装置２０と、電子チケット確認装置３０と、その他の部分とに大別される。
【００１２】
電子チケット発行装置２０は、利用者からの設定情報に基づいて電子チケットを生成し、利用者が所有する記憶媒体に電子チケットの情報をダウンロードする機能を有する。さらに、電子チケット発行装置２０は、生成した電子チケットに対応した発生代金の支払いを金融機関４へ指示する機能を有している。
【００１３】
具体的には、電子チケット発行装置２０は、利用者からの設定情報の受付及び金融機関への支払いを行う電子チケット予約受付手段２１、設定情報に基づいて電子チケットの予約管理を行う電子チケット予約サーバ２３、電子チケットの生成を行う電子チケット生成手段２２、そして電子チケットの情報を記憶媒体にダウンロードする電子チケットダウンロード手段２６を備えている。
【００１４】
また、電子チケット確認装置３０は、実際にイベントが開催される会場に設置される。そして、電子チケット確認装置３０は、利用者が持参した記憶媒体から電子チケットの情報を読み取り、電子チケットの正当性を判断する機能を有する。さらに、電子チケット確認装置３０は、電子チケットが正当であればイベント会場の通行ゲート１４を開錠して利用者の通行管理を行う機能を有している。
【００１５】
具体的には、電子チケット確認装置３０は、電子チケットの情報を読み取る電子チケット読取手段３１、暗号鍵が蓄えられた暗号鍵データベース３３、暗号化されている電子チケットを復号化する電子チケット解読手段３２、電子チケットの正当性を確認するためのデータが蓄えられた予約情報データベース３５、復号化された電子チケットの予約情報の正当性を確認する予約情報確認手段３４、照合用の指紋データを読み取る照合用指紋データ読取手段３６、電子チケット内の指紋データと照合用の指紋データとを比較する指紋データ照合手段３７、予約情報の正当性と指紋データの照合結果から電子チケットが有効であるか否かを判断する電子チケット有効無効判別手段３８を備えている。
【００１６】
さらに、電子チケット発行装置２０と電子チケット確認装置３０に含まれないその他の部分は、構成要素として次のものを備えている。具体的には、その他の部分は、電子チケットの予約時に指紋データを読み取る指紋装置１、予約情報の設定を行うとともに発行された電子チケットを受け取るユーザ端末２、金融機関４、電子チケットの情報が書き込まれる記憶媒体１０、記憶媒体１０に電子チケットの情報を書き込む媒体ライタ６、記憶媒体１０から電子チケットの情報を読み出す媒体リーダ１１、照合用の指紋データを読み取る指紋装置９を有し記憶媒体が備えられた携帯電話７、携帯電話７からの情報を電子チケット確認装置３０に伝える携帯受信部１２、照合用の指紋データを読み取る指紋装置１３、電子チケット確認装置３０からの指令に基づいて開閉制御される通行ゲート１４、そして電子チケットの予約内容の確認表示を行う案内表示盤１５を備えている。ここで、指紋装置９及び指紋装置１３は、認証データ読取手段に相当する。
【００１７】
本実施の形態１は、電子チケット発行装置２０が認証データとチケットの予約情報とを暗号化して電子チケットを生成する点と、電子チケット確認装置３０が暗号化された電子チケットを復号化し、かつ照合用として新たに読み取られた照合用の認証データを用いて正当性を判断する点とを特徴としている。以下に図２〜図４も交えて詳細を説明する。
【００１８】
図２は、本発明の実施の形態１における電子チケットの申込みに必要なデータを示した図である。所望のイベントの申込みに必要なデータは、予約情報と個人情報から構成されている。予約情報としては、（１）イベント種別、（２）当日券、回数券、期間券といったチケット種別、（３）予約指定日時（期間であれば開始日及び終了日）、（４）指定席、自由席などのカテゴリ及び予約席番号といった予約種別を備えている。また、個人情報としては、（５）氏名、性別、年齢、（６）連絡先（住所、電話番号）、（７）本人確認用の認証データを備えている。以下の説明において符号（１）から（７）で示されるものは、これらの予約情報及び個人情報を指すものとする。
【００１９】
図３は、本発明の実施の形態１における電子チケットの予約から発行までのプロセスを示したフローチャートであり、電子チケット発行装置２０側の処理を中心に示したものである。図３のフローチャートの流れに沿って、電子チケットの予約処理及び発行処理について説明する。
【００２０】
電子チケットの申込みを行いたい利用者は、ユーザ端末２から電子チケット発行装置２０にアクセスする（Ｓ３０１）。そして、チケットの申込みに必要なデータを設定する。利用者は、予約情報（１）から（４）までのデータをユーザ端末２から設定する（Ｓ３０２）。
【００２１】
一方、電子チケット発行装置２０は、電子チケット予約受付手段２１を介してユーザ端末２で設定された予約情報（１）から（４）を受け取る。さらに、電子チケット発行装置２０は、電子チケット予約サーバ２３内の予約情報データベース２５に蓄えられた電子チケット予約情報に基づいて、予約情報（１）から（４）が予約可能かを判断する（Ｓ３０３）。
【００２２】
電子チケット予約サーバ２３は、ステップ番号Ｓ３０３で予約が可能と判断した場合には、予約情報データベース２５の内容を該当する予約情報（１）から（４）に基づいて更新する。さらに、電子チケット予約サーバ２３は、予約可能か予約不可能かの予約結果を、電子チケット予約受付手段２１を介してユーザ端末２に返答する（図３のフローチャートには図示せず）。予約が不可能な時はその後の処理を行わずに終了する。
【００２３】
ステップ番号Ｓ３０３で予約が可能と判断された場合には、利用者は次に個人情報（５）及び（６）のデータをユーザ端末２から設定する（Ｓ３０４）。さらに利用者は、ユーザ端末２に接続された指紋装置１から（７）の認証データとして指紋データを読み取らせる（Ｓ３０５）。ユーザ端末２は、指紋装置１で読み取られた指紋データを指紋データ採取手段３で採取することができ、この結果、個人情報（５）から（７）が揃うこととなる。ユーザ端末２は、設定された予約情報（１）から（４）及び個人情報（５）から（７）を表示して、利用者に設定情報の再確認を促し、電子チケットの予約を行うかの最終確認を行う（Ｓ３０６）。
【００２４】
ステップ番号Ｓ３０６において、利用者が予約を行わないことと最終判断した場合には、ユーザ端末２は、電子チケット予約受付手段２１を介して電子チケット予約サーバ２３に対して予約情報（１）から（４）とともに予約のキャンセル指令を送る。電子チケット予約サーバ２３は、予約のキャンセル指示に基づいて、予約情報データベース２５から該当する予約情報（１）から（４）を削除する。そして、その後の処理を行わずに終了することとなる。
【００２５】
一方、ステップ番号Ｓ３０６において、利用者が現在の設定情報に基づいて予約を行うことと最終判断した場合には、ユーザ端末２は、（７）の情報を電子チケット生成手段２２に送るとともに、電子チケット予約受付手段２１を介して（１）から（６）の情報及び電子チケットの発行指令を電子チケット予約サーバ２３に送る。
【００２６】
電子チケット予約サーバ２３は、（１）から（６）の情報及び電子チケットの発行指令に基づいて、会場別暗号鍵データベース２４から対応する暗号鍵を取り出す。そして電子チケット予約サーバ２３は、（１）から（６）の情報に暗号鍵を添えて、電子チケット生成手段２２にこれらのデータを送る。電子チケット生成手段２２は、（７）の認証データに相当する指紋データをユーザ端末２からすでに直接取得しており、全て揃った（１）から（７）の情報を暗号鍵によって暗号化し、暗号化された電子チケット８を生成する（Ｓ３０７）。さらにこれに合わせてチケットの対価を支払うべく、指定の金融機関４に対して対価支払い指示が出される（Ｓ３０８）。
【００２７】
生成された電子チケット８の情報は、ユーザ端末２の電子チケット書込手段５にダウンロードされる（Ｓ３０９）。利用者は、電子チケット８の情報を書き込む媒体が記憶媒体１０（ＩＣカード、フロッピー(登録商標)ディスク、メモリカード等）あるいは携帯電話７のいずれかを選択する（Ｓ３１０）。記憶媒体１０が選択された場合には、媒体ライタ６を介して記憶媒体１０に電子チケット８の情報が書き込まれる（Ｓ３１１）。一方、携帯電話７が選択された場合には、携帯電話７の内部メモリに電子チケット８の情報が書き込まれる（Ｓ３１２）。なお、上記の説明では、携帯電話７と記憶媒体１０を区別したが、携帯電話の内部メモリを記憶媒体１０の一種として使用することも可能である。
【００２８】
電子チケット８を手に入れた利用者は、記憶媒体１０あるいは携帯電話７をイベント会場に持参して、イベント会場への入場許可を得ることとなる。図４は、本発明の実施の形態１における発行された電子チケットを用いてイベント会場に入場するプロセスを示したフローチャートであり、電子チケット確認装置３０側の処理を中心に示したものである。図４のフローチャートの流れに沿って、電子チケットの確認処理について説明する。
【００２９】
電子チケット８の情報を電子チケット確認装置３０内に取り込む方法は、電子チケット８の情報が記憶媒体１０あるいは携帯電話７のいずれに記憶されているかで異なる（Ｓ４０１）。記憶媒体１０に電子チケット８の情報が記憶されている場合には、電子チケット確認装置３０に接続されている媒体リーダ１１を介して、暗号化された電子チケット８の情報が読み取られる（Ｓ４０２）。さらに、電子チケット確認装置３０に接続されている認証データ読取手段に相当する指紋装置１３を介して、照合確認を行うための照合用指紋データが取り込まれる（Ｓ４０３）。
【００３０】
一方、携帯電話７に電子チケット８の情報が記憶されている場合には、電子チケット確認装置３０に接続されている携帯受信部１２を介して、暗号化された電子チケット８の情報が読み取られる（Ｓ４０４）。さらに、携帯電話７に備え付けられている認証データ読取手段に相当する指紋装置９を介して、照合確認を行うための照合用指紋データが携帯電話７の内部メモリに取り込まれる（Ｓ４０５）。携帯電話７に取り込まれた照合用指紋データは、携帯受信部１２を介して電子チケット確認装置３０に送られる。
【００３１】
媒体リーダ１１あるいは携帯受信部１２で読み取られた暗号化された電子チケット８の情報は、電子チケット読取手段３１を介して電子チケット解読手段３２に送られる。さらに、イベント別の暗号鍵データベース３３に蓄えられた暗号鍵によって復号化処理が行われる（Ｓ４０７）。電子チケットを復号化することにより、（１）から（７）の情報が得られる。電子チケット解読手段３２は、復号化した（１）から（７）の情報のうち、（１）から（６）の情報を予約情報確認手段３４に送り、（７）の情報を指紋データ照合手段３７に送る。
【００３２】
予約情報確認手段３４は、電子チケット解読手段からの（１）から（６）の情報と、予約情報データベース３５に蓄えられた電子チケット予約情報との比較結果に基づいて、電子チケットの正当性、すなわちこの電子チケットが正しく予約されたものかを判断する（Ｓ４０８）。さらに、（１）から（４）の情報が当日のイベント内容と一致するかをチェックする（Ｓ４０９）。そして、ステップ番号Ｓ４０８及びＳ４０９の判断結果を電子チケット有効無効判別手段３８に送る。
【００３３】
ここで、予約情報データベース３５に蓄えられた電子チケット予約情報は、予約情報データベース２５に蓄えられた電子チケット予約情報と必ずしも同じものである必要はない。つまり、予約情報データベース２５に蓄えられた電子チケット予約情報は、予約状況に空きがあるかを確認して予約の可否を判断するためのものであり、予約に応じて更新されるデータである。これに対して予約情報データベース３５に蓄えられた電子チケット予約情報は、電子チケットから読み出された予約情報の正当性を確認するためのものである。したがって、例えば電子チケットから読み出された予約情報が、あらかじめ決められたルールで作成されているか、あるいは該当するイベントの情報と一致するかなどをチェックできるデータが蓄えられていれば、正当性確認の目的を達成できる。
【００３４】
一方、携帯受信部１２あるいは指紋装置１３で読み取られた照合用指紋データは、照合用指紋データ読取手段３６を介して、指紋データ照合手段３７に送られる。指紋データ照合手段３７は、電子チケット解読手段から得た（７）の認証データとしての指紋データと、照合用指紋データ読取手段３６から得た照合用指紋データとを照合する（Ｓ４０９）。そして、電子チケット有効無効判別手段３８に照合結果を送る。このように、指紋データの照合を行うことにより、厳格な本人確認を可能としている。
【００３５】
電子チケット有効無効判別手段３８は、予約情報確認手段３４から得られた判断結果と、指紋データ照合手段３７から得られた照合結果とに基づいて、電子チケットが有効であるか否かの最終判断を下す。ステップ番号Ｓ４０８〜Ｓ４１０の条件を全てクリアすることにより、本人の正規チケットであることが確認されることとなる（Ｓ４１１）。正規の利用者はこれらの確認をパスすることにより、通行ゲート１４の開錠が許されるとともに（Ｓ４１２）、イベント会場の案内表示盤１５に表示される予約情報を見て、座席等の確認を行うこととなる（Ｓ４１３）。
【００３６】
なお、上記の実施の形態１では、携帯電話７を用いる場合には、携帯電話７に備え付けられている指紋装置９を介して、照合確認を行うための照合用指紋データを読み込む方法を説明した。しかし、携帯電話７は電子チケット８の情報を記憶するための記憶媒体の役目だけに使用し、照合用指紋データを読み込むときは指紋装置１３を用いることも可能である。
【００３７】
本実施の形態１によれば、認証データとチケットの予約情報とを暗号化して電子チケットを生成することにより、電子チケットが改ざんされる危険性を防止することができる。さらに、イベント別の暗号鍵を用いることにより、イベント毎に電子チケットの所持者の正当性を厳格に確認できる。さらに、利用者はユーザ端末あるいはモバイル機器から電子チケットの予約ができるとともに、暗号化された電子チケットを自らが保有する記憶媒体に取得できる。
【００３８】
さらにイベント会場においては、暗号化された電子チケットを復号化することにより、チケットの正当性を確認できるとともに、照合用の認証データを採取して電子チケット内の認証データと比較することにより、本人確認が確実に行える。さらに、指紋装置が備え付けられたモバイル機器を記憶媒体として用いることにより、イベント会場に媒体リーダ及び指紋装置を設ける必要がなくなる。これらの結果により、なりすましや不正行為を防止でき、セキュリティ性が高く、かつ利便性の高い電子チケット認証確認システムを得ることができる。
【００３９】
実施の形態２．
実施の形態２では、ユーザ端末２を使わずに、電子チケットの予約時においても携帯電話７を活用する場合について説明する。図５は、本発明の実施の形態２に係る電子チケット認証確認システムの構成図である。図１の構成要素における指紋装置１、ユーザ端末２、媒体ライタ６、記憶媒体１０、媒体リーダ１１、指紋装置１３が不要となっている。その一方で、電子チケット発行装置２０と携帯電話７との間のデータ送受信を可能とするための携帯送受信部１６が新たに追加になっている。図１と同様の構成要素については説明を省略する。
【００４０】
実施の形態１で説明したように、携帯電話７は指紋装置９を備えており、指紋データを携帯電話７の内部メモリに書き込むことが可能となっている。この指紋装置９は、実施の形態１で説明したように、確認時において認証データ読取手段として働くとともに、予約時においても指紋データを読み取って、電子チケット発行装置２０に指紋データを送る役目を果たす。携帯電話７は、携帯送受信部１６を介して電子チケット発行装置２０とデータの送受信が可能となっており、指紋データとともに予約情報のデータも設定できる。これにより、携帯電話７は、図２に示した情報（１）から（７）の全てのデータを設定でき、これらのデータを電子チケット発行装置２０に対して送信できる。
【００４１】
また、電子チケット生成手段２２で暗号化された電子チケット８の情報は、電子チケットダウンロード手段２６、携帯送受信部１６を介して携帯電話７に書き込むことができる。このようにして、利用者は携帯電話７を用いて電子チケットの予約が行える。さらに、発行された電子チケット８の情報は携帯電話７に書き込まれるため、イベント会場に携帯電話７のみを持参すればよく、他の記憶媒体が不要となる。
【００４２】
イベント会場における携帯電話７の活用に関しては、実施の形態１ですでに説明しており、詳細は省略する。利用者はイベント会場において、携帯受信部１２を介して携帯電話７から電子チケット読取手段３１に、暗号化された電子チケット８の情報を伝えることができる。さらに、照合用指紋データの送信にも携帯電話７に備えられた指紋装置９を活用できる。この照合用指紋データは、携帯受信部１２を介して照合用指紋データ読取手段３６に伝えられる。
【００４３】
実施の形態２によれば、電子チケットの予約時と確認時の双方で携帯電話を活用することにより、ユーザ端末、指紋装置、記憶媒体、媒体ライタ、媒体リーダを不要とすることができる。さらに、電子チケットの予約時に指紋データを認証データとして登録するときと、イベント会場における確認時に指紋データを照合用データとして読み取るときに、ともに携帯電話７に備え付けられた同一の指紋装置を活用でき、安定した照合結果を得ることができる。
【００４４】
なお暗号化及び復号化においては、公開鍵基盤（ＰＫＩ：Public Key Infrastructure）の仕組みを使って構築することも可能である。また、モバイル機器として携帯電話を用いた場合について説明したが、これに限定されず、今後登場するものも含めて各種のモバイル機器が適用可能である。さらに、認証データとして指紋データを用いた場合について説明したが、これに限定されず、顔写真等の適用も考えられる。
【図面の簡単な説明】
【００４５】
【図１】本発明の実施の形態１に係る電子チケット認証確認システムの構成図である。
【図２】本発明の実施の形態１における電子チケットの申込みに必要なデータを示した図である。
【図３】本発明の実施の形態１における電子チケットの予約から発行までのプロセスを示したフローチャートである。
【図４】本発明の実施の形態１における発行された電子チケットを用いてイベント会場に入場するプロセスを示したフローチャートである。
【図５】本発明の実施の形態２に係る電子チケット認証確認システムの構成図である。
【符号の説明】
【００４６】
１  指紋装置、２  ユーザ端末、３  指紋データ採取手段、４  金融機関、５  電子チケット書込手段、６  媒体ライタ、７  携帯電話、８  電子チケット、９  指紋装置、１０  記憶媒体、１１  媒体リーダ、１２  携帯受信部、１３  指紋装置、１４  通行ゲート、１５  案内表示盤、１６  携帯送受信部、２０  電子チケット発行装置、２１  電子チケット予約受付手段、２２  電子チケット生成手段、２３  電子チケット予約サーバ、２４  会場別暗号鍵データベース、２５  予約情報データベース、２６  電子チケットダウンロード手段、３０  電子チケット確認装置、３１  電子チケット読取手段、３２  電子チケット解読手段、３３  暗号鍵データベース、３４  予約情報確認手段、３５  予約情報データベース、３６  照合用指紋データ読取手段、３７  指紋データ照合手段、３８  電子チケット有効無効判別手段。
【図１】
2005122268.tif 000003
【図２】
2005122268.tif 000004
【図３】
2005122268.tif 000005
【図４】
2005122268.tif 000006
【図５】
2005122268.tif 000007